(57)【要約】  本発明は、陸上車両（１）用の、特にオフロードのトラック用の、シャーシアセンブリ（４）であって、シャーシフレーム（２）を有し、シャーシフレーム（２）と結合された中間フレーム（３）を有し、前記中間フレームが少なくとも１つのプロフィール支持体（９、１０）を有しており、前記プロフィール支持体がシャーシアセンブリ（４）の長手方向（Ｌ）に延びており、かつ陸上車両（１）の上部構造（５）を支持するための支持装置（６）を有する、シャーシアセンブリ（４）に関する。支持装置（６）が中間フレーム（３）に移動可能に支承されており、かつシャーシフレーム（４）の横方向（Ｑ）に延びる、支持アーム切り欠き（２８、２９）を備えた支持アーム（８）を有する。少なくとも１つのプロフィール支持体（９、１０）が支持アーム切り欠き（２８、２９）を通して次のように、すなわち少なくとも１つのプロフィール支持体（９、１０）の横断面（Ａ２）が少なくとも部分的に支持アーム切り欠き（２８、２９）の内部に配置されるように、挿通されている。【選択図】図３
2019518658.tif 000002
【特許請求の範囲】
【請求項１】
陸上車両（１）用の、特にオフロードのトラック用の、シャーシアセンブリ（４）であって、
シャーシフレーム（２）を有し、
シャーシフレーム（２）と結合された中間フレーム（３）を有し、前記中間フレームが少なくとも１つのプロフィール支持体（９、１０）を有しており、前記プロフィール支持体がシャーシアセンブリ（４）の長手方向（Ｌ）に延びており、かつ
陸上車両（１）の上部構造（５）を支持するための支持装置（６）を有し、支持装置（６）が中間フレーム（３）に移動可能に支承されており、かつシャーシフレーム（４）の横方向（Ｑ）に延びる、支持アーム切り欠き（２８、２９）を備えた支持アーム（８）を有し、少なくとも１つのプロフィール支持体（９、１０）が支持アーム切り欠き（２８、２９）を通して次のように、すなわち少なくとも１つのプロフィール支持体（９、１０）の横断面（Ａ２）が少なくとも部分的に支持アーム切り欠き（２８、２９）の内部に配置されるように、挿通されている、
陸上車両用のシャーシアセンブリ。
【請求項２】
少なくとも１つのプロフィール支持体（９、１０）が、接触なしで支持アーム切り欠き（２８、２９）を通して挿通されている、ことを特徴とする請求項１に記載のシャーシアセンブリ。
【請求項３】
支持アーム（８）が支持アームプロフィール（１１）及び支持アームプロフィール（１１）と結合された少なくとも１つのカバーパネル（１７）を有している、ことを特徴とする請求項１又は２に記載のシャーシアセンブリ。
【請求項４】
少なくとも１つのカバーパネル（１７）がシャーシアセンブリ（４）の高さ方向（Ｈ）において支持アーム切り欠き（２８、２９）を次のように、すなわち支持アーム切り欠き（２８、２９）の周面が支持アーム（８）の材料によって完全に包囲されるように、閉鎖している、ことを特徴とする請求項３に記載のシャーシアセンブリ。
【請求項５】
支持アームプロフィール（１１）が、第１のベルト（１２）、第２のベルト（１３）および第１のベルト（１２）を第２のベルト（１３）と結合するウェブ（１４）を有して横断面（Ａ１）においてＵ字状に形成されており、少なくとも１つのカバーパネル（１７）が第１のベルト（１２）を第２のベルト（１３）と結合し、かつ支持アーム切り欠き（２８、２９）が第１のベルト（１２）も第２のベルト（１３）も貫通している、ことを特徴とする請求項３又は４に記載のシャーシアセンブリ。
【請求項６】
第１のベルト（１２）と第２のベルト（１３）とにそれぞれ接曲部（１５、１６）が設けられており、前記接曲部がそれぞれウェブ（１４）から離れる方向を向いており、少なくとも１つのカバーパネル（１７）が接曲部（１５、１６）と結合され、特に螺合されている、ことを特徴とする請求項５に記載のシャーシアセンブリ。
【請求項７】
少なくとも１つのプロフィール支持体（９、１０）がプロフィール支持体切り欠き（３３）を有しており、支持アーム（８）がプロフィール支持体切り欠き（３３）を通して、支持アーム（８）の横断面（Ａ１）が少なくとも部分的にプロフィール支持体切り欠き（３３）の内部に配置されるように、挿通されている、ことを特徴とする請求項３から６のいずれか１項に記載のシャーシアセンブリ。
【請求項８】
少なくとも１つのカバーパネル（１７）がプロフィール支持体切り欠き（３３）を通して挿通されている、ことを特徴とする請求項７に記載のシャーシアセンブリ。
【請求項９】
支持アーム（８）がプロフィール支持体切り欠き（３３）を接触なしで通して挿通されている、ことを特徴とする請求項７又は８に記載のシャーシアセンブリ。
【請求項１０】
少なくとも１つのプロフィール支持体（９、１０）が支持アーム切り欠き（２８、２９）を通して、少なくとも１つのプロフィール支持体（９、１０）の横断面（Ａ２）が完全に支持アーム切り欠き（２８、２９）の内部に配置されるように、挿通されている、ことを特徴とする請求項１から６のいずれか１項に記載のシャーシアセンブリ。
【請求項１１】
少なくとも１つのプロフィール支持体（９、１０）が横断面狭窄部（３４）を有しており、前記横断面狭窄部が支持アーム切り欠き（２８、２９）を通して挿通されている、ことを特徴とする請求項１０に記載のシャーシアセンブリ。
【請求項１２】
中間フレーム（３）の少なくとも１つのプロフィール支持体（９、１０）に加えて、シャーシフレーム（２）の少なくとも１つのプロフィール支持体（３５、３６）が支持アーム切り欠き（２８、２９）を通して挿通されており、シャーシフレーム（２）の少なくとも１つのプロフィール支持体（３５、３６）が支持アーム切り欠き（２８、２９）を通して、シャーシフレーム（２）の少なくとも１つのプロフィール支持体（３５、３６）の横断面（Ａ３）が少なくとも部分的に支持アーム切り欠き（２８、２９）の内部に配置されるように、挿通されている、ことを特徴とする請求項１０又は１１に記載のシャーシアセンブリ。
【請求項１３】
シャーシフレーム（２）の少なくとも１つのプロフィール支持体（３５、３６）がプロフィール支持体切り欠き（４０）を有しており、支持アーム（８）がプロフィール支持体切り欠き（４０）を通して、支持アーム（８）の横断面（Ａ１）が少なくとも部分的にプロフィール支持体切り欠き（４０）の内部に配置されるように、挿通されている、ことを特徴とする請求項１２に記載のシャーシアセンブリ。
【請求項１４】
支持装置（６）が、長手方向（Ｌ）に延びる中央パイプ（７）を有しており、前記中央パイプが支持アーム（８）と堅固に結合されており、中央パイプ（７）が中間フレーム（３）に移動可能に支承されている、ことを特徴とする請求項１から１３のいずれか１項に記載のシャーシアセンブリ。
【請求項１５】
請求項１から１４のいずれか１項に記載のシャーシアセンブリを有する陸上車両、特にオフロードのトラック。
【発明の詳細な説明】
【技術分野】
【０００１】
本発明は、陸上車両用、特にオフロードのトラック用の、シャーシアセンブリ及びこの種のシャーシアセンブリを有する陸上車両、特にオフロードのトラックに関する。
【背景技術】
【０００２】
オフロードのトラックは、曲げに硬いが、ねじりにソフトなシャーシフレームとシャーシフレーム上に配置されたねじりに硬い上部構造とを有することができる。上部構造は、場合によっては曲げに硬いがねじりにソフトな補助フレーム又は中間フレームを介してシャーシフレームに固定することができる。上部構造はその下側に、トラックの長手方向に延びる中央パイプを有することができ、その中央パイプがトラバース又は支持アームを介して上部構造と堅固に結合されており、かつ複数の点において軸受装置を介して移動可能に中間フレームと結合されている。この配置を用いて、たとえばオフロード走行する場合に、シャーシフレームが捻れ、あるいは歪んだ場合に、捻れに硬い上部構造が損傷することが、阻止される。
【０００３】
特許文献１（独国特許第２７１６９９４号明細書）は、曲げに硬いが、ねじりにソフトなシャーシフレームを有するトラックを記述しており、そのシャーシフレームが、中央の固定箇所と側方の固定箇所とを有する３点軸承を介して捻れに硬い上部構造と結合されている。この上部構造は、水平の軸線を中心に移動可能な中央パイプを有しており、その中央パイプの両方の端部がシャーシフレームにおいて軸受シェルの中央に軸承されている。シャーシフレームにおいても上部構造においても側方の固定点において、かつそれらの間に複数のスライドプレートが水平に固定されており、それらはそれぞれ長手ばね力を受けるアンカーによってあそびをもって互いに締めつけ可能である。
【０００４】
特許文献２（独国特許出願公開第２５３４１５５号明細書）は、シャーシフレームによって支持される車両上部構造を有するトラックを示しており、その場合に車両上部構造は捻れに硬い中間フレーム上に固定されており、その中間フレームが３つの点においてシャーシフレームと結合されており、その３点の１つは車両の長手中心線内に配置されており、他の２つの点は二等辺三角形の底辺の角部を形成している。
【０００５】
特許文献３（欧州特許出願公開第０５８３７５０号明細書）は、曲げに硬いがねじりにソフトなシャーシフレームを有するトラックを記述している。このシャーシフレーム上に、中間フレームを介して捻れに硬い上部構造が配置されており、その上部構造は下側に車両長手中心内に延びる中央パイプを有している。この中央パイプは、複数の点において軸受を介して中間フレームと結合されている。
【０００６】
特許文献４（欧州特許出願公開第１２３１１２９号明細書）は、曲げに硬いが、ねじりにソフトなシャーシフレームを有するトラックを示しており、そのシャーシフレーム上にねじることができる補助フレームが配置されており、その補助フレームが曲げとねじりに硬い上部構造を支持しており、その上部構造が少なくとも３つの点において移動軸受を介して補助フレームと結合されている。
【先行技術文献】
【特許文献】
【０００７】
【特許文献１】独国特許第２７１６９９４（Ｃ２）号明細書
【特許文献２】独国特許出願公開第２５３４１５５（Ａ１）号明細書
【特許文献３】欧州特許出願公開第０５８３７５０（Ａ２）号明細書
【特許文献４】欧州特許出願公開第１２３１１２９（Ａ２）号明細書
【発明の概要】
【発明が解決しようとする課題】
【０００８】
これを背景として、本発明の課題は、トラック用の改良されたシャーシアセンブリを提供することにある。
【課題を解決するための手段】
【０００９】
それに応じて陸上車両用、特にオフロードのトラック用のシャーシアセンブリが提案される。シャーシアセンブリは、シャーシフレーム、シャーシフレームと結合された、シャーシアセンブリの長手方向に延びる少なくとも１つのプロフィール支持体を備えた中間フレーム及び陸上車両の上部構造を支持する支持装置を有しており、その場合に支持装置が中間フレームに移動可能に支承されており、かつシャーシアセンブリの横方向に延びる、支持アーム切り欠きを備えた支持アームを有し、その場合に少なくとも１つのプロフィール支持体が支持アーム切り欠きを通して、少なくとも１つのプロフィール支持体の横断面が少なくとも部分的に支持アーム切り欠きの内部に配置されるように、挿通されている。
【００１０】
ここで「陸上車両」というのは、たとえばトラック、装甲車両、トラクター、ピックアップ、トレーラー又は同種のものである。陸上車両は動力駆動されてもよく、あるいは、陸上車両がトレーラーである場合には、駆動装置を有していない。
【００１１】
支持アームは、トラバース（Traverse、横材、cross member）と称することもできる。中間フレームは、補助フレームと称することもできる。好ましくは支持装置は、多数のこの種の支持アームを有している。シャーシアセンブリは、いわゆる中央パイプフレーム又はいわゆるはしごフレームとすることができる。支持装置は、長手方向に延びる中央パイプを有することができ、その中央パイプが軸受装置によってたとえば３点軸承の形式で移動可能に中間フレームに軸承されている。
【００１２】
その場合に少なくとも１つのプロフィール支持体の横断面は、長手方向に対して垂直の少なくとも１つのプロフィール支持体の切断面として定義される。この横断面は、横切断面と称することもできる。少なくとも１つのプロフィール支持体の横断面が少なくとも部分的に支持アーム切り欠きの内部に配置されている。というのは、特に横断面の第１の部分が支持アーム切り欠きの内部に配置され、横断面の第２の部分が支持アーム切り欠きの外部に配置されている、ということである。横断面は、完全に支持アーム切り欠きの内部に配置することもできる。横断面は、好ましくはＣ字形状である。
【００１３】
好ましくは中間フレームは、互いに対して平行かつ互いに離隔して配置されて、長手方向に延びる２つのプロフィール支持体を有している。これらのプロフィール支持体は、長手方向に屈曲部、すなわち接曲部を有することができる。したがって支持アームは２つの支持アーム切り欠きも有しており、その場合に各支持アーム切り欠きにプロフィール支持体が対応づけられている。プロフィール支持体は、好ましくはスチール支持体、特に安価な押し出し成形プロフィールである。屈曲された長手支持体が形成のためにプレス成形される。シャーシフレームは、好ましくは同様に互いに対して平行かつ互いに離隔して、長手方向に延びる２つのプロフィール支持体を有しており、それらがシャーシアセンブリの高さ方向において中間フレームのプロフィール支持体の下方に配置されている。シャーシフレームのプロフィール支持体は、好ましくは同様に横断面においてＣ字形状のスチール支持体であり、特に同様に安価な押し出し成形プロフィールである。
【００１４】
少なくとも１つのプロフィール支持体の横断面が少なくとも部分的に支持アーム切り欠きの内部に配置されていることによって、既知の配置と比較して、高い安定性においてシャーシアセンブリの特に低組立て高さを得ることができる。中間フレームと中央パイプとを有する既知のねじりに硬い上部構造においては、大きい垂直衝突を有する困難なオフロード使用のためのたとえば１５トン又はそれを上回る高い荷重要請は、材厚の大きさが必要なことに基づいて多くの材料使用によってのみ、可能である。それによって大きい重量がもたらされ、それが最終的に提供可能な利用荷重を制限することがあり得る。さらに中間フレームのプロフィール支持体の上方に配置された支持アームを有するこの既知の構造においては、結果としてこの構造が大きい組立て高さを有する。それによって車両の全体高さの制限があらかじめ定められている場合に、上部構造の利用可能な高さが減少する。さらに中間フレームのプロフィール支持体の高さが制限されている、すなわちトーション及び曲げに硬いことは、本発明に係るシャーシアセンブリに比較して低く抑えられている。
【００１５】
実施形態によれば、少なくとも１つのプロフィール支持体が接触なしで支持アーム切り欠きを通して挿通されている。
【００１６】
接触なしというのは、少なくとも１つのプロフィール支持体が陸上車両の駆動中に支持アーム切り欠きの内側輪郭と接触しないことである。しかし特に中間フレームのトーションが激しい場合、たとえばオフロード走行において、少なくとも１つのプロフィール支持体が支持アーム切り欠きの内側輪郭に接触することがあり、それによってシャーシアセンブリのトーションの定められた制限に達することがある。
【００１７】
他の実施形態によれば、支持アームは支持アームプロフィール及び支持アームプロフィールと結合された少なくとも１つのカバーパネルを有している。
【００１８】
たとえば２つあるいはそれより多いカバーパネルを設けることができる。代替的に、正確に１つのカバーパネルを設けることもできる。支持アームプロフィールは、横断面においてＵ字形状であり、シャーシアセンブリの高さ方向に関して下方へ向かって開放している。カバーパネルは、支持アームプロフィールのこの開口部を閉鎖する。支持アームプロフィールは、たとえばスチールプロフィールである。カバーパネルは、好ましくはスチールシートである。カバーパネルは、屈曲した幾何学配置を有することができる。支持アームプロフィールは、その端縁から始まって中央パイプに向かって増大する横断面高さを有することができる。それによって支持アームプロフィールは、長手方向に見て三角形状又は矢の形状を有することができる。
【００１９】
他の実施形態によれば、少なくとも１つのカバーパネルがシャーシアセンブリの高さ方向に支持アーム切り欠きを、支持アーム切り欠きの周面が支持アームの材料によって完全に包囲されるように、閉鎖する。
【００２０】
支持アーム切り欠きは、特に、支持アームプロフィール内に設けられた切り抜きによって定義され、その切り抜きがカバーパネルによって閉鎖されて周面が閉鎖された切り欠きとなる。
【００２１】
他の実施形態によれば、支持アームプロフィールは第１のベルト、第２のベルト及び第１のベルトを第２のベルトと結合するウェブを有する、断面がＵ字形状に形成されており、その場合に少なくとも１つのカバーパネルが第１のベルトを第２のベルトと結合し、かつその場合に支持アーム切り欠きが第１のベルトも第２のベルトも貫通している。
【００２２】
第１のベルトは第２のベルトに対して平行に配置されている。ウェブが第１のベルトを第２のベルトと材料一体で結合する。カバーパネルは、第１のベルト及び第２のベルトと堅固に結合することができる。
【００２３】
他の実施形態によれば、第１のベルトと第２のベルトにそれぞれ接曲部が設けられており、それらの接曲部はそれぞれウェブから離れる方向を向いており、その場合に少なくとも１つのカバーパネルがそれらの接曲部と結合され、特に螺合されている。
【００２４】
接曲部は、好ましくはそれぞれウェブに対して平行に配置されている。接曲部は、ウェブに関して外側を向いている。接曲部は、内側を向くこともできる。代替的に一方の接曲部が外側を向くことができ、他方の接曲部が内側を向くこともできる。接曲部は、支持アーム切り欠きの領域内で好ましくは中断されている。最初はＵ字状に下方に向かって開放している支持アームプロフィールを閉鎖することによって、その剛性は、開放したプロフィールに比較してずっと高くなることができる。特に支持アーム切り欠きの領域内で支持アームプロフィールが膨らむことが、効果的に阻止される。それによって支持アームプロフィールとカバーパネルの材厚が小さい場合でも、支持アームの充分な剛性を得ることができる。支持アームプロフィールの膨らみに対する安全性をさらに向上させることは、条溝の形成によって行うことができる。支持アームプロフィールをカバーパネルと結合することは、好ましくはねじ結合を介して行われる。これは、溶接結合に比較して効果的である。というのは、振動負荷を受けた場合に溶接継目はアンダーカットに基づいて構造的に弱い箇所を形成するからである。
【００２５】
他の実施形態によれば、少なくとも１つのプロフィール支持体がプロフィール支持体切り欠きを有しており、その場合に支持アームがプロフィール支持体切り欠きを通して、支持アームの横断面が少なくとも部分的にプロフィール支持体切り欠きの内部に配置されるように、挿通されている。
【００２６】
それによって支持アームと少なくとも１つのプロフィール支持体が互いに、かつ／又は入れ子に接続することができる。プロフィール支持体切り欠きは、特に長穴であって、その長穴が長手方向に延びている。支持アームの横断面は、好ましくは部分的にプロフィール支持体切り欠きの内部に、そして部分的にプロフィール支持体切り欠きの外部に配置されている。その場合に支持アームの横断面は、横方向に対して垂直に支持アームプロフィールとカバーパネルの切断面として定義されている。横断面は、支持アームの横切断面と称することもできる。
【００２７】
他の実施形態によれば、少なくとも１つのカバーパネルがプロフィール支持体切り欠きを通して挿通されている。
【００２８】
すなわち支持アームの横断面の、プロフィール支持体切り欠きの内部に配置されている部分は、カバーパネルによって提供されている。
【００２９】
他の実施形態によれば、支持アームは接触なしでプロフィール支持体切り欠きを通して挿通されている。
【００３０】
好ましくは陸上車両のオフロード駆動において、シャーシアセンブリがねじれて、カバーパネルがプロフィール支持体切り欠きの内側輪郭に接触することがあり得る。特にカバーパネルは最大可能なトーションを、トーションが大きすぎる場合にカバーパネルが少なくとも１つのプロフィール支持体のプロフィール支持体切り欠きの上方のエッジ又は下方のエッジに当接するようにして、制限する。この場合において、シャーシアセンブリはもはやオフロード作用によって要求されるトーションに従って撓むことができず、軸の可能なばね変位距離を使い尽くした後に結果として、陸上車両の少なくとも１つの車輪が地面から浮き上がる。これが、中間フレームをあまりに大きいトーションから保護する。それによってシャーシアセンブリの損傷もしくは構成部品の衝突が排除されている。
【００３１】
他の実施形態によれば、少なくとも１つのプロフィール支持体が支持アーム切り欠きを通して、少なくとも１つのプロフィール支持体の横断面が完全に支持アーム切り欠きの内部に配置されるように、挿通されている。
【００３２】
すなわち支持アーム切り欠きの内側輪郭が、少なくとも１つのプロフィール支持体を完全に取り巻いている。
【００３３】
他の実施形態によれば、少なくとも１つのプロフィール支持体が横断面狭窄部を有しており、それが支持アーム切り欠きを通して挿通されている。
【００３４】
横断面狭窄部は、少なくとも１つのプロフィール支持体の下方のベルトがその上方のベルトへ向かって案内されることによって、形成することができる。
【００３５】
他の実施形態によれば、中間フレームの少なくとも１つのプロフィール支持体に加えてシャーシフレームの少なくとも１つのプロフィール支持体が支持アーム切り欠きを通して案内されており、その場合にシャーシフレームの少なくとも１つのプロフィール支持体は支持アーム切り欠きを通して、シャーシフレームの少なくとも１つのプロフィール支持体の横断面が少なくとも部分的に支持アーム切り欠きの内部に配置されるように、挿通されている。
【００３６】
特にシャーシフレームの少なくとも１つのプロフィール支持体の横断面の一部が支持アーム切り欠きの内部に、そして横断面の一部が支持アーム切り欠きの外部に配置されている。それによってシャーシアセンブリの組立て高さを、さらに削減することができる。その場合にシャーシフレームの少なくとも１つのプロフィール支持体の横断面は、長手方向に対して垂直に少なくとも１つのプロフィール支持体の切断面として定義されている。横断面は、少なくとも１つのプロフィール支持体の横切断面と称することもできる。
【００３７】
他の実施形態によれば、シャーシフレームの少なくとも１つのプロフィール支持体がプロフィール支持体切り欠きを有しており、その場合に支持アームがプロフィール支持体切り欠きを通して、支持アームの横断面が少なくとも部分的にプロフィール支持体切り欠きの内部に配置されるように、案内されている。
【００３８】
特に支持アームのカバーパネルがプロフィール支持体切り欠きを通して案内されている。特にカバーパネルは、接触なしでプロフィール支持体切り欠きを通して案内されている。
【００３９】
他の実施形態によれば、支持装置が長手方向に延びる中央パイプを有しており、その中央パイプが支持アームと堅固に結合されており、その場合に中央パイプ７は中間フレームに移動可能に支承されている。
【００４０】
すなわちシャーシアセンブリは中央パイプフレームとすることができる。代替的にシャーシアセンブリは、すでに述べたように、はしごフレームとすることもできる。中央パイプは、軸受装置によって中間フレームに移動可能に支承されている。たとえば、３点軸承を形成するために、この種の軸受装置を３つ設けることができる。
【００４１】
さらにこの種のシャーシアセンブリを有する陸上車両、特にオフロードのトラックが提案される。
【００４２】
好ましくは陸上車両は、シャーシアセンブリの他に、支持装置が支持する上部構造を有している。上部構造は、たとえば荷台、コンテナ、トランク、タンクあるいは同種のものを有することができる。様々な上部構造を設けることができる。
【００４３】
シャーシアセンブリについて記述した特徴は、陸上車両についても当てはまり、かつ逆も言える。
【００４４】
シャーシアセンブリ及び／又は陸上車両の他の可能な実現は、上述した、あるいは以下で実施例に関して説明する特徴又は実施形態のはっきりとは挙げていない組合せも有している。その場合に当業者は、シャーシアセンブリ及び／又は陸上車両のそれぞれの基本形状に対する改良又は補足としての個別視点も付け加えることができる。
【００４５】
シャーシアセンブリ及び／又は陸上車両の他の好ましい形態及び視点が、下位請求項及び以下で説明するシャーシアセンブリ及び／又は陸上車両の実施例の対象である。さらに、シャーシアセンブリ及び／又は陸上車両を、添付の図面を参照しながら好ましい実施形態を用いて詳細に説明する。
【図面の簡単な説明】
【００４６】
【図１】陸上車両の実施形態を図式的に示す側面図である。
【図２】図１に示す陸上車両を図式的に示す上面図である。
【図３】図１に示す陸上車両用のシャーシアセンブリの実施形態を図式的に示す斜視図である。
【図４】図３に示すシャーシアセンブリ用の支持アームの実施形態を図式的に示す断面図である。
【図５】図３に示すシャーシアセンブリ用のプロフィール支持体の実施形態を図式的に示す断面図である。
【図６】図１に示す陸上車両用のシャーシアセンブリの他の実施形態を図式的に示す斜視図である。
【図７】図１に示す陸上車両用のシャーシアセンブリの他の実施形態を図式的に示す斜視図である。
【図８】図７に示すシャーシアセンブリ用のプロフィール支持体の実施形態を図式的に示す断面図である。
【図９】図１に示す陸上車両用のシャーシアセンブリの他の実施形態を図式的に示す斜視図である。
【発明を実施するための形態】
【００４７】
図において同一又は機能的に等しい部材には、他の記載がない限りにおいて、同一の参照符号が設けられている。
【００４８】
図１は、陸上車両１の実施形態を図式的な側面図で示している。図２は、陸上車両１の図式的な上面図を示している。陸上車両１は、特にオフロードのトラックである。陸上車両１は、図１に示すように、３車軸車両とすることができる。代替的に陸上車両１は、任意の数の車軸を有することもできる。陸上車両１は、曲げに硬く、かつねじりにソフトなシャーシフレーム２を有している。シャーシフレーム２は、陸上車両１のエンジンから車両後部まで延びており、かつ長手方向Ｌに延びる２つのプロフィール支持体を有している。
【００４９】
シャーシフレーム２上に、補助フレーム又は中間フレーム３が支持されている。中間フレーム３は、たとえばシャーシフレーム２と螺合することができる。中間フレーム３は、シャーシフレーム２と同様にねじりにソフトであって、曲げに硬く、シャーシフレームに対して限定的にスライドし、かつ／又はねじれることができる。シャーシフレーム２と中間フレーム３は、陸上車両１のシャーシアセンブリ４の部分である。シャーシアセンブリ４は、陸上車両１のねじれに硬い上部構造５を支持するのに適している。上部構造５は、たとえば荷台、コンテナ、トランク、タンクなどを有することができる。シャーシアセンブリ４は、長手方向Ｌ、長手方向Ｌに対して垂直に方向づけされた横方向Ｑ及び長手方向Ｌと横方向Ｑとに対して垂直に方向づけされた高さ方向Ｈを有している。その場合に高さ方向Ｈは、重力方向に対して逆かつ平行に方向づけされている。
【００５０】
シャーシアセンブリ４は、さらに、上部構造５を支持するための、図２に示す支持装置６を有している。支持装置６は、長手方向Ｌに延びる中央パイプ７と、横方向Ｑに延びる多数のトラバース又は支持アーム８を有している。支持アーム８の数は、任意である。支持装置８は、ねじりにソフトな中間フレーム３とねじりに硬い上部構造５との間の結合部材として用いられる。陸上車両１がオフロード走行する場合に支持装置６によって、シャーシアセンブリ４のねじれに基づく上部構造５の損傷を阻止することができる。中央パイプ７は、図示されない軸受装置を介して中間フレーム３と軸方向に固定かつ回転可能に結合されている。
【００５１】
支持アーム８は、上部構造５の下側と堅固に結合され、たとえば螺合されている。中央パイプ７は、３点軸承を用いて中間フレーム３と移動可能に結合することができる。たとえば陸上車両１の後方の領域内に後方の回転軸受を設けることができ、それを中心に中央パイプ７が陸上車両１の車両中央に配置された回転軸ＤＡを中心に回転することができる。この回転軸受は、長手方向Ｌに関して固定軸受とすることができる。中央パイプ７の３点軸承は、さらに、２つの側方の滑り軸受によって補足することができる。中間フレーム３における中央パイプ７の軸承は、任意の他の軸受装置によって行うこともできる。シャーシアセンブリ４は、中央パイプフレームと称することもできる。シャーシアセンブリ４は、もちろんいわゆるはしごフレームであってもよい。
【００５２】
図２からさらに読み取ることができるように、中間フレーム３は長手方向Ｌに延びる２つのプロフィール支持体９、１０を有している。さらにシャーシフレーム２も、すでに上述したように、長手方向Ｌに延びるこの種の２つのプロフィール支持体を有しており、それらはもちろん図２の方向づけにおいて中間フレーム３のプロフィール支持体９、１０の下方に配置されており、したがって見えない。
【００５３】
図３は、図１及び図２に示す陸上車両用のシャーシアセンブリ４の実施形態を図式的に示す斜視図である。図３においては、シャーシフレーム２は示されていない。シャーシアセンブリ４は、すでに説明したように、シャーシフレーム２の他に支持装置６を有している。支持装置６は、横方向Ｑに延びる複数の支持アーム８を有しているが、図３においてはそのうちの１つだけが示されている。支持アーム８は、好ましくは鋼材料から形成されている。支持アーム８は、チタン材料又はアルミニウム材料から形成することもできる。さらに支持アーム８は、ラミネートされた補強部材を有するガラス繊維強化されたプラスチック（ＧＦＫ）又は炭素繊維強化されたプラスチック（ＫＦＫ又はＣＦＫ）から形成することもできる。支持アーム８は、支持アームプロフィール１１を有しており、その支持アームプロフィールは、図４に示すように、横断面においてＵ字形状であり、図３及び図４の方向づけにおいて下方へ向かって開放している。
【００５４】
支持アームプロフィール１１は、第１のベルト１２、第１のベルト１２に対向し、かつそれから離隔して配置された第２のベルト１３及び第１のベルト１２と第２のベルト１３の間に配置されて、ベルト１２、１３を互いに結合するウェブ１４を有している。第１のベルト１２には、第１の接曲部１５が設けられており、それがウェブ１４から外側へ離れる方向を向いている。第２のベルト１３には第２の接曲部１６が設けられており、それも同様にウェブ１４から外側へ向かって離れる方向を向いている。接曲部１５、１６あるいは接曲部の１つ１５、１６は、内側を向くこともできる。
【００５５】
支持アームプロフィール１１は、支持アーム８に対応づけられたカバーパネル１７によって下方へ向かって、すなわちウェブ１４から離れる方向に、閉鎖されている。接曲部１５、１６内には、それぞれ多数の孔１８、１９が設けられており、それらの孔がカバーパネル１７内に設けられた孔２０、２１と対応する。孔１８から２１を通して多数のねじ２２が挿通されており、それらがカバーパネル１７を支持アームプロフィール１１と堅固に結合する。代替的にカバーパネル１７は、支持アームプロフィール１１と溶接し、あるいはリベット止めすることもできる。しかし好ましくはカバーパネル１７は、支持アームプロフィール１１と螺合されており、したがって取り外し可能に結合されている。
【００５６】
支持アーム８は、支持アームプロフィール１１の両側に配置された収容部材２３、２４を有しており、その収容部材に上部構造５を固定することができる。収容部材２３、２４は、たとえば標準化された接続片を備えたコンテナを収容するために設けることができる。支持アーム８の終端領域の他の形態も、可能である。支持アーム８と収容部材２３、２４との間の結合は、たとえば溶接結合によって行うことができ、その場合にもちろんねじ結合又はリベット止めも可能である。
【００５７】
支持アームプロフィール１１は、収容部材２３、２４から始まって中央パイプ７の方向に横断面増大を有している。すなわち収容部材２３、２４から始まって中央パイプ７の方向に支持アーム８の横断面Ａ１の高さが高さ方向Ｈに増大する。それによって支持アームプロフィール１１は、長手方向Ｌを見る視線の方向に三角形状又は矢の形状の幾何学配置を得る。その場合に横断面Ａ１は、横方向Ｑに対して垂直に支持アームプロフィール１１とカバーパネル１７の切断面として定義される。横断面Ａ１は、支持アーム８の横切断面と称することもできる。
【００５８】
中央パイプ７は、フランジ２５、２６によって支持アームプロフィール１１と堅固に結合されている。そのためにフランジ２５、２６は多数のねじ２７によって支持アームプロフィール１１と螺合することができる。フランジ２５、２６は、中央パイプ７と溶接することができる。中央パイプ７は、好ましくは同様に鋼材料から形成されている。中央パイプ７は、チタン材料又はアルミニウム材料から、あるいはＧＦＫ又はＣＦＫから形成することもできる。ＧＦＫ又はＣＦＫを使用する場合には、好ましくはきわめて少ない重量も達成することができる。
【００５９】
支持アーム８は、横方向Ｑに互いに離隔して配置された２つの支持アーム切り欠き２８、２９を有しており、それらが支持アームプロフィール１１を貫通している。特に第１の支持アーム切り欠き２８と第２の支持アーム切り欠き２９が設けられている。これらの支持アーム切り欠き２８、２９は、Ｕ字形状の幾何学配置を有している。支持アーム切り欠き２８、２９は、高さ方向Ｈにおいてカバーパネル１７によって次のように、すなわち支持アーム切り欠き２８、２９の周面がそれぞれ支持アーム８の材料によって完全に取り巻かれるようにして、閉鎖されている。支持アーム切り欠き２８、２９は、支持アームプロフィール１１の第１のベルト１２によっても第２のベルト１３によっても挿通されている。接曲部１５、１６は、支持アーム切り欠き２８、２９の領域内で中断されている。
【００６０】
プロフィール支持体９、１０は、横断面においてＣ字形状であって、図３及び図５に示すように、それぞれ第１のベルト３０、第１のベルト３０から離隔しかつそれに対して平行に配置された第２のベルト３１及び第１のベルト３０を第２のベルト３１と結合するウェブ３２を有している。プロフィール支持体９、１０は、それぞれ横断面Ａ２を有している。横断面Ａ２は、プロフィール支持体９、１０の横断面と称することもできる。その場合に横断面Ａ２は、長手方向Ｌに対して垂直にそれぞれのプロフィール支持体９、１０の切断面として定義される。プロフィール支持体９、１０は、閉成された横断面を有することもできる。
【００６１】
プロフィール支持体９、１０は次のように、すなわちプロフィール支持体９、１０のそれぞれの横断面Ａ２が少なくとも部分的にそれぞれの支持アーム切り欠き２８、２９の内部に配置されるように、支持アーム切り欠き２８、２９に挿通されている。図３において認識されるように、プロフィール支持体９、１０のそれぞれの横断面Ａ２は、一部がそれに対応づけられた支持アーム切り欠き２８、２９の内部に、そして一部はそれに対応づけられた支持アーム切り欠き２８、２９の外部に配置されている。すなわち、プロフィール支持体９、１０はそれに対応づけられた支持アーム切り欠き２８、２９の内部に完全には配置されていない。
【００６２】
各プロフィール支持体９、１０は、シャーシアセンブリ４の長手方向Ｌに延びるプロフィール支持体切り欠き３３を有している。プロフィール支持体９、１０のそれぞれのプロフィール支持体切り欠き３３を通して支持アーム８が、支持アーム８の横断面Ａ１が少なくとも部分的にそれぞれのプロフィール支持体切り欠き３３の内部に配置されるようにして、挿通されている。特に支持アーム８のカバーパネル１７は、プロフィール支持体９、１０のそれぞれのプロフィール支持体切り欠き３３を通して挿通されている。その場合にカバーパネル１７は、それぞれのプロフィール支持体９、１０と接触しないように、プロフィール支持体切り欠き３３を通して挿通されている。
【００６３】
シャーシアセンブリ４を組み立てるために、まず中間フレーム３がシャーシフレーム２と結合される。そのために中間フレーム３は、たとえばシャーシフレーム２と螺合することができる。最初にカバーパネル１７が、その角張った形状に基づいてプロフィール支持体切り欠き３３内へ挿入される。次に中央パイプ７がフランジ２５、２６及び支持アーム８と共に、上述したように、軸受装置を用いて移動可能に中間フレーム３と結合される。その場合にプロフィール支持体９、１０の支持アーム切り欠き３３が、プロフィール支持体９、１０に対して所定の間隔で少なくとも部分的にプロフィール支持体９、１０を包囲する。この包囲の領域内に、プロフィール支持体９、１０のウェブ３２は、すでに上述したようなプロフィール支持体切り欠き３３を有している。
【００６４】
その場合に長手方向Ｌと高さ方向Ｈにおけるそれぞれのプロフィール支持体切り欠き３３の広がりは、長手方向Ｌにおける接曲部１５、１６の幅が、長手方向Ｌにおけるプロフィール支持体切り欠き３３の長さよりも小さいくなるような大きさに選択されている。高さ方向Ｈにおけるプロフィール支持体切り欠き３３の高さは、少なくとも、シャーシアセンブリ４がねじれ、あるいは歪んだ場合に接曲部１５、１６がプロフィール支持体切り欠き３３に接触することがない大きさに選択されている。
【００６５】
その後支持アームプロフィール１１が、図３の方向づけにおいて下側をカバーパネル１７によって閉鎖され、そのカバーパネルの平坦な面とは異なる屈曲された形状が、支持アームプロフィール１１の下方の輪郭に相当する。長手方向Ｌにおけるカバーパネル１７の幅は、接曲部１５、１６の幅に相当するように選択されている。カバーパネル１７に設けられている孔２０、２１は、接曲部１５、１６の孔１８、１９と整合している。孔１８から２１内へねじ２２が挿入されて、カバーパネル１７を支持アームプロフィール１１と結合するために互いに螺合される。カバーパネル１７を取り付けるために、カバーパネルが支持アームプロフィール１１に沿ってプロフィール支持体切り欠き３３内へ挿通されて、支持アームプロフィール１１と螺合される。その場合に２つあるいはそれより多くのカバーパネル１７を設けることができ、それらは互いに適切に分配される。これが、カバーパネル１７の取付けを容易にする。
【００６６】
その場合にカバープシート１７は、複数の機能を満たすことができる。最初はＵ字形状で下方へ向かって開放している支持アームプロフィール１１を閉鎖することによって、支持アーム８の剛性が著しく増大する。特に支持アーム切り欠き２８、２９の領域内で支持アームプロフィール１１が膨らむことが、効果的に阻止される。それによって、支持アームプロフィール１１とカバーパネル１７の材厚が小さい場合でも、支持アーム８の充分な剛性を得ることができる。さらにカバーパネル１７はシャーシアセンブリ４の最大可能なトーションを、トーションが大きすぎる場合にカバーパネル１７がプロフィール支持体９、１０のそれぞれプロフィール支持体切り欠き３３の上方のエッジ又は下方のエッジに当接するようにして、制限する。この場合においてシャーシアセンブリ４は、オフロード作用によって要請されるトーションに応じてもはや撓むことはできず、車軸のばね変位距離を使い尽くした結果、陸上車両１の少なくとも１つの車輪が地面から浮き上がる。これが、中間フレーム３をあまりに大きいトーションから保護する。
【００６７】
支持アームプロフィール１１をカバーパネル１７と結合することは、好ましくは、ねじ２２によるねじ結合を介して行われる。これは、溶接結合に比較して効果的である。というのは、溶接継目は振動負荷がかかった場合にアンダーカットに基づいて構造的に弱い箇所を形成するからである。この理由から高い負荷がかかる領域内では溶接は回避される。さらに、溶接が難しい、きわめて硬い細粒鋼が選択され、それは溶接継目の回りの溶融されるゾーンの領域内で、粒子拡大に基づいてその高い強度を失う。特に、たとえばＳ５００ＭＣ又はＳ７００ＭＣのようなより高い硬度の鋼を使用することができる。それによって他の鋼の使用に比較して著しい重量削減を達成することができる。他方で、材厚が変わらない場合には、より品質の低い鋼も使用される。
【００６８】
さらに重量を削減するために、付加的な開口部又は切り欠きを設けることができ、それらの位置は、支持アーム８の剛性に悪い影響を与えることがないように、選択される。さらに支持アーム切り欠き２８、２９及び／又はプロフィール支持体切り欠き３３を補強することができる。そのためにたとえばスリーブ、二重パネル又はねじ込み式穴あきパネルを使用することができる。さらに、ノッチのような、特に負荷のかかる領域を回避するために、支持アーム切り欠き２８、１９及び／又はプロフィール支持体切り欠き３３の形状付与を、幾何学的に変化させることが可能である。
【００６９】
図６は、図１及び図２に示す陸上車両１のためのシャーシアセンブリ４の他の実施形態を斜視図で図式的に示している。図６に示すシャーシアセンブリ４は、図３に示すシャーシアセンブリ４とは異なり、プロフィール支持体９、１０は、プロフィール支持体９、１０のそれぞれの横断面Ａ２がそれぞれの支持アーム切り欠き２８、２９の内部に完全に配置されるように、支持アーム切り欠き２８、２９を通して挿通されている。そのためにプロフィール支持体９、１０がそれぞれ横断面狭窄部３４を有しており、それは、下方又は第１のベルト３０が上方又は第２のベルト３１へ向かって案内されることにより、形成されている。
【００７０】
図７は、図１及び図２に示す陸上車両１のためのシャーシアセンブリ４の他の実施形態を斜視図で図式的に示している。図７に示すシャーシアセンブリ４は、図３に示すシャーシアセンブリ４とは異なっており、まず、中間フレーム３のプロフィール支持体９、１０は、プロフィール支持体９、１０のそれぞれの横断面Ａ２がそれぞれの支持アーム切り欠き２８、２９の内部に完全に配置されるように、支持アーム切り欠き２８、２９を通して挿通されている。さらに、中間フレーム３のプロフィール支持体９、１０と同様にシャーシアセンブリ４の長手方向Ｌに延びる、シャーシフレーム２のプロフィール支持体３５、３６が次のように、すなわち図８に示すそれぞれのプロフィール支持体３５、３６の横断面Ａ３が少なくとも部分的にそれぞれの支持アーム切り欠き２８、２９内に配置されるように、それぞれの支持アーム切り欠き２８、２９を通して挿通されている。その場合に横断面Ａ３は、長手方向Ｌに対して垂直のそれぞれのプロフィール支持体３５、３６切断面として定義されている。
【００７１】
プロフィール支持体３５、３６は、スチール支持体である。各プロフィール支持体３５、３６は、下方又は第１のベルト３７、第１のベルト３７から離隔し、かつそれに対して平行に配置された上方又は第２のベルト３８及び第１のベルト３７を第２のベルト３８と結合するウェブ３９を有している。プロフィール支持体３５、３６の第２のベルト３８上に、それぞれ中間フレーム３のプロフィール支持体９、１０が支持されている。シャーシフレーム２のプロフィール支持体３５、３６は、高さ方向Ｈにおいて中間フレーム３のプロフィール支持体９、１０よりも大きい高さを有している。シャーシフレーム２のプロフィール支持体３５、３６は、それぞれプロフィール支持体切り欠き４０を有しており、それに支持体アーム８が次のように、すなわち支持体アーム８の横断面Ａ１が少なくとも部分的にプロフィール支持体切り欠き４０の内部に配置されるように、挿通されている。
【００７２】
プロフィール支持体切り欠き４０は、それぞれプロフィール支持体３５、３６のウェブ３９内に配置されている。特にカバーパネル１７がプロフィール支持体切り欠き４０に挿通されているので、それぞれのプロフィール支持体３５、３６の横断面Ａ３の一部が支持アーム切り欠き２８、２９の内部に、そして横断面Ａ３の一部がそれぞれの支持アーム切り欠き２８、２９の外部に配置されている。さらに支持アームプロフィール１１内に、たとえば重量を削減するため、あるいは駆動軸を挿通するために、切り欠き４１を設けることができる。
【００７３】
図９は、図１及び図２に示す陸上車両１用のシャーシアセンブリ４の他の実施形態を図式的に斜視図で示している。図９に示すシャーシアセンブリ４は、図７に示すシャーシアセンブリ４とは異なり、シャーシフレーム２のプロフィール支持体３５、３６も支持アーム８の支持アーム切り欠き２８、２９を通して、プロフィール支持体３５、３６のそれぞれの横断面Ａ３が完全に支持アーム切り欠き２８、２９の内部に配置されるように、挿通されている。さらに、中間フレーム３のプロフィール支持体９、１０とシャーシフレーム２のプロフィール支持体３５、３６は、高さ方向Ｈにそれぞれ同一の高さを有している。
【００７４】
本発明はいくつかの実施例を用いて説明されているが、本発明は多様に修正可能である。
【符号の説明】
【００７５】
１   陸上車両
２   シャーシフレーム
３   中間フレーム
４   シャーシアセンブリ
５   上部構造
６   支持装置
７   中央パイプ
８   支持アーム
９   プロフィール支持体
１０ プロフィール支持体
１１ 支持アームプロフィール
１２ ベルト
１３ ベルト
１４ ウェブ
１５ 接曲部
１６ 接曲部
１７ カバーパネル
１８ 孔
１９ 孔
２０ 孔
２１ 孔
２２ ねじ
２３ 収容部材
２４ 収容部材
２５ フランジ
２６ フランジ
２７ ねじ
２８ 支持アーム切り欠き
２９ 支持アーム切り欠き
３０ ベルト
３１ ベルト
３２ ウェブ
３３ プロフィール支持体切り欠き
３４ 横断面狭窄部
３５ プロフィール支持体
３６ プロフィール支持体
３７ ベルト
３８ ベルト
３９ ウェブ
４０ プロフィール支持体切り欠き
４１ 切り欠き
Ａ１ 横断面
Ａ２ 横断面
Ａ３ 横断面
ＤＡ 回転軸
ｇ   重力方向
Ｈ   高さ方向
Ｌ   長手方向
Ｑ   横方向
【図１】
2019518658.tif 000003
【図２】
2019518658.tif 000004
【図３】
2019518658.tif 000005
【図４】
2019518658.tif 000006
【図５】
2019518658.tif 000007
【図６】
2019518658.tif 000008
【図７】
2019518658.tif 000009
【図８】
2019518658.tif 000010
【図９】
2019518658.tif 000011
【国際調査報告】
2019518658.tif 000012
2019518658.tif 000013
2019518658.tif 000014
2019518658.tif 000015